【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
入射した複数の色光を映像データに基づいて変調する各色光に対応した複数の液晶表示素子と、
上記各液晶表示素子により変調された色光を１つの映像となるように合成する光合成手段と、
上記光合成手段により合成された光をスクリーンに投射する投射手段とを備え、
上記スクリーンに表示される映像において、上記各液晶表示素子の配向方向が互いに一致した方向となるように、他の液晶表示素子に対して映像が反転される液晶表示素子の配向方向を、上記他の液晶表示素子の配向方向とは異なる方向とすること
を特徴とする投射型液晶表示装置。
【請求項２】
光源と、
上記光源から出射された光を複数の色光に分離する光分離手段とをさらに備え、
上記複数の液晶表示素子は、上記光分離手段により分離された複数の色光を映像データに基づいて変調すること
を特徴とする請求項１記載の投射型液晶表示装置。
【請求項３】
上記光分離手段は、上記光源から出射された光を赤、緑、青の３原色に対応した色光に分離し、
上記複数の液晶表示素子は、これら赤、緑、青の３原色に対応した３つの液晶表示素子であり、このうち少なくとも１つの液晶表示素子の配向方向を、他の液晶表示素子の配向方向とは異なる方向とすること
を特徴とする請求項２記載の投射型液晶表示装置。
【請求項４】
上記映像が反転して表示される液晶表示素子の配向方向は、その映像の反転に応じて上記他の液晶表示素子の配向方向が反転される方向であること
を特徴とする請求項１記載の投射型液晶表示装置。
【請求項５】
上記映像が反転して表示される液晶表示素子の配向方向は、上記他の液晶表示素子の配向方向とは上記液晶表示素子の面内で略９０゜だけ異なっていること
を特徴とする請求項４記載の投射型液晶表示装置。
【請求項６】
上記液晶表示素子は、一主面上に透明電極とこの透明電極を被覆する配向膜とが形成された透明基板と、
上記透明基板と対向配置され、上記透明電極と対向する主面に各画素に対応した複数の駆動回路及び反射画素電極とこれら複数の反射画素電極を被覆する配向膜とが形成された駆動回路基板と、
上記透明基板側の配向膜と上記駆動回路基板側の配向膜との間に介在される液晶層とを備え、
上記液晶層は、負の誘電異方性を有し、上記配向膜によって液晶分子を所定の方向にプレティルトを与えて垂直配向させた垂直配向液晶からなること
を特徴とする請求項１記載の投射型液晶表示装置。
【請求項７】
上記液晶表示素子の配向方向は、表示領域を形成する上記画素の略対角方向であること
を特徴とする請求項６記載の投射型液晶表示装置。
【請求項８】
上記液晶表示素子は、映像信号のフレーム毎に駆動電圧の極性を反転させるフレーム反転駆動により駆動されること
を特徴とする請求項６記載の投射型液晶表示装置。
【請求項９】
隣接する上記反射画素電極の間に設けられた隙間が０．７μｍ以下であること
を特徴とする請求項６記載の投射型液晶表示装置。
【請求項１０】
上記複数の液晶表示素子は、変調された色光が上記光合成手段により合成されるまでの間に反射される回数が奇数回か偶数回（０回を含む。）かの違いによって、上記映像が反転して表示される液晶表示素子と、上記他の液晶表示素子とに分類されること
を特徴とする請求項１記載の投射型液晶表示装置。
【請求項１１】
映像データに基づいて変調された複数の色光を１つの映像となるように合成し、その合成された光をスクリーンに投射して映像表示を行う投射型液晶表示装置が備える光学ブロックであって、
上記複数の色光を映像データに基づいて変調する各色光に対応した複数の液晶表示素子と、
上記各液晶表示素子により変調された色光を１つの映像となるように合成する光合成手段とを備え、
上記スクリーンに表示される映像において、上記各液晶表示素子の配向方向が互いに一致した方向となるように、他の液晶表示素子に対して映像が反転される液晶表示素子の配向方向を、上記他の液晶表示素子の配向方向とは異なる方向とすること
を特徴とする光学ブロック。
【請求項１２】
上記複数の液晶表示素子は、赤、緑、青の３原色に対応した３つの液晶表示素子であり、このうち少なくとも１つの液晶表示素子の配向方向を、他の液晶表示素子の配向方向とは異なる方向とすること
を特徴とする請求項１１記載の光学ブロック。
【請求項１３】
上記映像が反転される液晶表示素子の配向方向は、その映像の反転に応じて上記他の液晶表示素子の配向方向が反転される方向であること
を特徴とする請求項１１記載の光学ブロック。
【請求項１４】
上記映像が反転される液晶表示素子の配向方向は、上記他の液晶表示素子の配向方向とは面内で略９０゜だけ異なっていること
を特徴とする請求項１３記載の光学ブロック。
【請求項１５】
上記液晶表示素子は、
一主面上に透明電極とこの透明電極を被覆する配向膜とが形成された透明基板と、
上記透明基板と対向配置され、上記透明電極と対向する主面に各画素に対応した複数の反射画素電極とこれら複数の反射画素電極を被覆する配向膜とが形成された画素電極基板と、
上記透明基板側の配向膜と上記画素電極基板側の配向膜との間に介在される液晶層とを備えること
を特徴とする請求項１１記載の光学ブロック。
【請求項１６】
上記液晶層は、負の誘電異方性を有し、上記配向膜によって液晶分子を所定の方向にプレティルトを与えて垂直配向させた垂直配向液晶からなること
を特徴とする請求項１５記載の光学ブロック。
【請求項１７】
上記液晶表示素子の配向方向は、表示領域を形成する上記画素の略対角方向である
ことを特徴とする請求項１５記載の光学ブロック。
【請求項１８】
上記液晶表示素子は、映像信号のフレーム毎に駆動電圧の極性を反転させるフレーム反転駆動により駆動されることを特徴とする請求項１５記載の光学ブロック。
【請求項１９】
隣接する上記反射画素電極の間に設けられた隙間が０．７μｍ以下であることを特徴とする請求項１５記載の光学ブロック。
【請求項２０】
上記複数の液晶表示素子は、変調された色光が上記光合成手段により合成されるまでの間に反射される回数が奇数回か偶数回（０回を含む。）かの違いによって、上記映像が反転して表示される液晶表示素子と、上記他の液晶表示素子とに分類されることを特徴とする請求項１１記載の光学ブロック。
【手続補正２】
【補正対象書類名】明細書
【補正対象項目名】０００３
【補正方法】変更
【補正の内容】
【０００３】
この液晶プロジェクタ１００は、ランプ等の光源から出射された光を赤，緑、青の３原色に対応した３つの色光に分離し、これら分離された赤色光（Ｒ），緑色光（Ｇ），青色光（Ｂ）を偏光ビームスプリッタ１０１Ｒ，１０１Ｇ，１０１Ｂが各液晶表示パネル１０２Ｒ，１０２Ｇ，１０２Ｂに導きながら、これら３つの液晶表示パネル１０２Ｒ，１０２Ｇ，１０２Ｂが映像データに基づく変調を行い、その変調された赤色光（Ｒ），緑色光（Ｇ），青色光（Ｂ）を合成プリズム１０３が１つの映像となるように合成し、その合成された光を投射レンズ１０４がスクリーンＳ’に投射することによって、スクリーンＳ’上に拡大投影されたカラー映像を表示する。
【手続補正３】
【補正対象書類名】明細書
【補正対象項目名】０００４
【補正方法】変更
【補正の内容】
【０００４】
ところで、これらの液晶表示パネル１０２Ｒ，１０２Ｇ，１０２Ｂを構成する液晶表示素子には、大別して透過型と反射型とがある。透過型液晶表示素子は、背面に配置されたバックライトからの光を変調し透過光として出射するものであり、反射型液晶表示素子は、入射した光を変調し反射光として出射するものである。このうち、反射型液晶表示素子は、近年、プロジェクタの高精細化、小型化及び高輝度化が進むにつれて、高精細化及び小型化が可能であり且つ高い光利用効率が期待できる表示デバイスとして注目され、実際に実用化されている。
【手続補正４】
【補正対象書類名】明細書
【補正対象項目名】００３７
【補正方法】変更
【補正の内容】
【００３７】
この目的を達成するために、本発明に係る投射型液晶表示装置は、入射した複数の色光を映像データに基づいて変調する各色光に対応した複数の液晶表示素子と、各液晶表示素子により変調された色光を１つの映像となるように合成する光合成手段と、光合成手段により合成された光をスクリーンに投射する投射手段とを備え、スクリーンに表示される映像において、各液晶表示素子の配向方向が互いに一致した方向となるように、他の液晶表示素子に対して映像が反転される液晶表示素子の配向方向を、他の液晶表示素子の配向方向とは異なる方向とすることを特徴としている。
【手続補正５】
【補正対象書類名】明細書
【補正対象項目名】００５４
【補正方法】変更
【補正の内容】
【００５４】
また、シリコン基板５２ａ上には、各ＦＥＴ５６のドレイン電極と電気的に接続された略正方形状の反射画素電極６４が、各画素６１ａ毎にマトリクス状に複数配列して形成されている。この反射画素電極６４は、可視領域で高い反射率を有する、例えばアルミニウム（Ａｌ）、具体的には、ＬＳＩプロセスで配線に用いられる銅（Ｃｕ）やシリコン（Ｓｉ）を数重量％以下だけ添加したアルミニウム（Ａｌ）を主成分とする金属膜からなる。この反射画素電極６４は、透明基板５１側から入射した光を反射する機能及び液晶層５３に対して電圧を印加する機能を有しており、さらに反射率を上げるため、誘電体ミラーのような多層膜をＡｌ膜上に積層したものであってもよい。
【手続補正６】
【補正対象書類名】明細書
【補正対象項目名】００５６
【補正方法】変更
【補正の内容】
【００５６】
また、これら透明基板５１と駆動回路基板５２との互いに対向する対向面には、それぞれ透明電極５５及び反射画素電極６４を被覆する配向膜６５，６６が形成されている。これら配向膜６５，６６は、後述する液晶層５３の液晶分子５３ａを所定の方向に配向させるため、例えば酸化珪素（ＳｉＯ２）等の無機材料を上記シリコン基板５２ａに対して斜め方向から蒸着させた斜方蒸着膜等や、表面にラビング処理が施されたポリイミド等の高分子膜からなる。なお、液晶層５３のプレティルトを与える方向及びその角度制御は、前者の斜方蒸着膜の場合には、その斜め蒸着の入射方向及び蒸着角度を制御し、後者の高分子膜の場合、そのラビング方向及びその条件を制御することで行われる。通常、その実用的な角度は、基板法線方向に対して４５゜〜６５゜程度である。
【手続補正７】
【補正対象書類名】明細書
【補正対象項目名】００５９
【補正方法】変更
【補正の内容】
【００５９】
以上のように構成される反射型液晶表示素子５０では、透明基板５１側から入射した入射光が、液晶層５３を通過しながら、駆動回路基板５２側の反射画素電極６４で反射された後に、反射光として入射光とは逆向きに、液晶層５３及び透明基板５１を通過して出射される。このとき、液晶層５３は、透明電極５５と反射画素電極６４との間に印加される駆動電圧の電位差に応じて、その光学的な特性が変化し、通過する光を変調させることになる。したがって、この反射型液晶表示素子５０では、上述した光変調による階調表現が可能となり、その変調された反射光を映像表示に利用することが可能となっている。